(57)【要約】【課題】  購入しようとする商品が入った買い物籠の正確な重量値を測定し得るようにすることである。【解決手段】  買い物籠台１４の上面に、買い物籠１８を滑らせることにより係合してその買い物籠１８を計量器１６の計量位置に位置決めする凹又は凸の位置決め部１９を形成した。【選択図】    図１
2006235906.tif 000002
【特許請求の範囲】
【請求項１】
計量器を備えた買い物籠台と、スキャナによるデータ読取機能と読み取ったデータに基づく決済を行う決済機能とを備えた会計本体と、前記計量器とは別の計量器を備えるとともに読取後の商品を搬送のために集積する集積台とが一体又はそれぞれ別体に設けられたセルフチェックアウトシステムにおいて、前記買い物籠台の上面に、買い物籠を滑らせることにより係合してその買い物籠を計量器の計量位置に位置決めする凹又は凸の位置決め部を形成したことを特徴とするセルフチェックアウトシステム。
【発明の詳細な説明】
【技術分野】
【０００１】
本発明は、スーパーマーケット等の会計システムの一形式として利用されるセルフチェックアウトシステムに関する。
【背景技術】
【０００２】
従来のセルフチェックアウトシステムは、スキャニング前の商品を入れた買い物籠を置いてその全体重量を計測する秤ユニットと、商品に付されたバーコードを読み取るスキャナを備えてその読み取ったデータに基づく決済を行う決済機能を備えた会計本体と、読み取り後の商品を入れるレジ袋を置く集積台とを一体として会計ユニットを構成している。また、セルフチェックアウトシステムにおいては、商品が正しく登録されたか否かをチェックする必要があるが、そのためには、特許文献１に示されているように、商品の流れの上流側と下流側とで総重量を計測することが行われている。すなわち、商品が入った買い物籠の全重量を測定する第１計量部と商品データを読み取るスキャナと計量後の商品を収納する買い物籠の全重量を測定する第２計量部とを大きなカウンタ上に配置して全体を一体装置として構成している。
【０００３】
このような従来のセルフチェックアウトシステムにおいて、スキャニング前の商品を入れた買い物籠を買い物籠台の計量器により重量測定するものであるが、計量器の計量皿は、一般的には平らである。すなわち、計量皿の上面に歪みやそりがあると、買い物籠を中心の計量位置に位置させることが難しいため、平らに仕上げられている。
【０００４】
【特許文献１】特開２００２−３６７０３０号公報
【発明の開示】
【発明が解決しようとする課題】
【０００５】
従来のセルフチェックアウトシステムにおける買い物籠台には、スキャニング前の商品を入れた買い物籠の重量を測定する計量器が設けられているものであるが、その計量器の計量皿の上面は平らであるため、買い物籠を正しい計量位置、すなわち、略中心位置に位置決めすることが難しい。そのため、買い物籠の位置は、置く度に様々に変化し、正しい計量値を得ることができない場合がある。そのため、セルフチェックアウト時のトラブルの原因になることがある。
【０００６】
一方、買い物籠が計量皿から外れて落下する危険もあるため、計量皿に買い物籠の移動を阻止するための柵を設けることも行われている。この場合の柵は、買い物籠の滑落防止であるため、ある程度の高さがあるため、その柵の高さを越えてスキャニング前の商品が入っている重量が大きい買い物籠を計量皿に載せることは労力を要するものである。
【課題を解決するための手段】
【０００７】
本発明は、計量器を備えた買い物籠台と、スキャナによるデータ読取機能と読み取ったデータに基づく決済を行う決済機能とを備えた会計本体と、前記計量器とは別の計量器を備えるとともに読取後の商品を搬送のために集積する集積台とが一体又はそれぞれ別体に設けられたセルフチェックアウトシステムにおいて、前記買い物籠台の上面に、買い物籠を滑らせることにより係合してその買い物籠を計量器の計量位置に位置決めする凹又は凸の位置決め部を形成した。
【発明の効果】
【０００８】
本発明は、スキャニング前の商品が入っている重量が大きい買い物籠を買い物籠台の計量皿に載せる場合に、計量器の上面で滑らせるだけで凹又は凸の位置決め部に係合して正しく計量することができる計量位置に位置決めすることができ、常に正しい計量値を得てセルフチェックアウト時のトラブルの発生を防止することができる。
【発明を実施するための最良の形態】
【０００９】
本発明の第一の実施の態様を図１及び図２に基づいて説明する。まず、中央に位置させて会計本体１が設けられている。この会計本体１は、筐体２の上に決済機能部３が設けられているものである。すなわち、決済機能部３の下方には、硬貨釣銭機４及び紙幣釣銭機５が併設されている。これらの硬貨釣銭機４及び紙幣釣銭機５の上方には、テーブル６が設けられ、このテーブル６の上方には、スキャナ７、暗証番号入力機８、レシートプリンタ９が併設され、さらに、これらの上には、タッチパネル面１０とカード読み取り機１１とが設けられ、さらに、中央奥部にはランプ１２が設けられている。前記スキャナ７は、スキャナブロック１３として分離可能に形成されており、前記筐体２にはカバー等で覆われて取り出し可能に配設されているものである。
【００１０】
このような会計本体１の向って左側には、買い物籠台１４が一体的に設けられている。この買い物籠台１４は、前記筐体２に固定された筐体１５を有し、この筐体１５には、計量器１６が設けられている。この計量器１６は、上面が平坦な計量皿１７を有する。この計量皿１７の上面には、買い物籠１８の形状に合わせて載置される前記買い物籠１８を計量位置に位置決めするＬ型に突出した位置決め部１９が形成されている。すなわち、前記買い物籠１８を計量皿１７の手前側に載置した状態で右奥方向に移動するように滑らせることにより、買い物籠１８が位置決め部１９に係合して計量位置が定まるように前記位置決め部１９の位置が定められている。なお、前記位置決め部１９は、ビード状に突出したＬ型の凸部により形成したものであるが、実施に当っては、計量皿１７の上を滑る買い物籠１８がと当接するようにＬ字形に突出する段部により形成してもよいものである。
【００１１】
さらに、前記会計本体１の向って右側には、集積台２０が設けられている。この集積台２０は、前記会計本体１とは別体であり、独立した筐体２１を有する。そして、前記集積台２０は、前記筐体２１の上に前記計量器１６とは別の計量器２２が設けられている。この計量器２２の計量皿２３は、前記計量器１６の計量皿１７と同様にＬ型に突出した位置決め部２４が形成されている。前記計量器２２の後方には上方へ立ち上がる支柱２５を介して商品置き台２６が設けられている。
【００１２】
このように形成された集積台２０のさらに向って右側には、もう一つの集積台２７が設けられている。この集積台２７には支柱２８で保持された商品置き台２９が設けられている。この商品置き台２９の前方には、商品を入れるように開口した一枚のレジ袋３０を保持する二本のレジ袋掛け３１が突出形成されている。これらのレジ袋掛け３１の中央には、未使用の積層されたレジ袋３０を保持する保持部３２が設けられている。また、この集積台２７にも、前記計量器１６、２２とは別の計量器３４が設けられている。
【００１３】
このような構成において、買い物籠台１４と、会計本体１と、集積台２０及び集積台２７とは、左側から右方向に向けて順に配列されている。そして、これらの買い物籠台１４と、会計本体１と、集積台２０とは、図示しない電線の接続により、電源及び信号ラインが接続されているものである。
【００１４】
まず、買い物客がセルフチェックアウト操作を行う場合には、二つの態様がある。第一の態様は、会計本体１の右側の集積台２０に買い物客が持参した自前の買い物籠１８を置き、スキャニング後の商品をその買い物籠１８に入れ、会計処理が終了した時には、その買い物籠１８をそのまま持ち帰るものである。第二の態様は、レジ袋３０が設けられている集積台２７を利用するものであり、スキャニング後の商品をレジ袋３０に直接投入し、会計処理が終了した時には、そのレジ袋３０をそのまま持ち帰るものである。
【００１５】
つぎに、第一の態様でセルフチェックする場合について説明する。まず、買い物客は、購入しようとする商品が入った買い物籠１８を買い物籠台１４の計量器１６の計量皿１７の上に置く。このとき、スキャニング前の商品が入った買い物籠１８はかなりの重量があるが、まず、買い物籠１８を計量皿１７の左片隅に置き、そのまま、右奥に向けて滑らせる。その内に買い物籠１８が位置決め部１９に当って停止するので、その位置を計量位置とする。これにより、買い物籠１８は、常に正しい計量位置に位置することになり、計量値に狂いが生じることがない。このようにして買い物籠１８が計量皿１７上で静止すると、計量された総重量はデータとして決済機能部３に送り出される。そして、買い物客は、会計本体１のタッチパネル面１０の画面指示に従って個々の商品をスキャナ７にてスキャニングし、スキャニングを終了した商品を集積台２０に設けられた買い物籠１８に入れる。そして、全ての商品をスキャニングして右側の集積台２０上の買い物籠１８に入れ終わると、買い物客はタッチパネル面１０で会計処理を行う。この会計処理は、画面操作で現金かカードかの支払方法を選択し、現金の場合には、硬貨釣銭機４や紙幣釣銭機５に現金を入れ、カードの場合にはカード読取機１１にカードを通す。このような会計処理が終了すると、レシートプリンタ９よりレシートが発行され、釣銭がある場合には、硬貨釣銭機４や紙幣釣銭機５から釣銭が戻され、チェックアウトが終了する。このとき、買い物籠台１４の計量器１６で計量された買い物籠１８を含む商品の全重量が計量されており、すべての商品をスキャニングした後の全重量は、集積台２０の計量器２２により計量されている。そのため、計量器１６のデータから買い物籠１８の重量を差し引いた値と計量器２２により計量された重量とを比較することにより登録した商品がすべて買い物籠１８に移動したことが確認され、この検知により不正防止が図られている。なお、会計本体１には、図示しないコントローラ（ＰＯＳ）、電源等が設置されており、各機器の制御を行っている。なお、買い物客が持参した自前の買い物籠１８の重量は様々であるが、スキャニング前の重量とスキャニング後の重量とは、その変化値を計量しているものであるため、買い物籠１８の絶対重量の差異は問題ではない。
【００１６】
つぎに、第二の態様でのセルフチェックについて説明する。この場合の商品の移動は、買い物籠台１４の買い物籠１８から取り出した商品をスキャニングし、スキャニングが終了した商品を集積台２７上のレジ袋３０に直接投入するものである。そして、レジ袋３０内に投入された商品の重量は、計量器３４により計測される。このとき、集積台２７には、多数のレジ袋３０が保持されており、その重量もレジ袋３０の消費にしたがって変化するが、前述のように、商品の重量は変化値として計量されているので、レジ袋３０の総体的な重量変化があっても問題はない。買い物客は、このようにスキャニングされた商品が詰められたレジ袋３０をそのまま持参して帰ることになる。
【００１７】
つぎに、図２に示すように、会計本体１と、集積台２０、２７との前面は、下方が奥側に引っ込む傾斜面とされているので、買い物客が車椅子等を利用している状態であっても、より一層、会計本体１、集積台２０、２７に近づくことができ、操作性を向上させることができる。この状態は、健常者や子供であっても足の先を傾斜により形成された空間内に入れることができるため、会計本体１、集積台２０、２７に近づくことができ、操作性を向上させることができる。
【００１８】
次に、第二の実施の態様を図３に基づいて説明する。図１及び図２で説明した部分は同一符号を用い説明も省略する（以下、同じ）。本実施の態様においては、買い物籠台１４の計量皿１７に形成される位置決め部１９と、集積台２０の計量皿２３に形成される位置決め部２４との形が買い物籠１８の底部分の外周形状に合わせた凹部状段部であるようにしたものである。この凹部状段部の深さは、１ｃｍ程度であり、計量皿１７、２３の上面に沿わせて買い物籠１８を滑らせることにより簡単に落ち込み、かつ、取り出すときにもその引き上げ量が少なくても簡単に取り出せるように配慮されている。
【００１９】
このような構成において、買い物籠１８を凹部状段部に落とし込むことによりその買い物籠１８を計量皿１７、２３の略中央に位置決めすることができ、正確な計量値を得ることができる。
【００２０】
さらに、第三の実施の態様を図４に基づいて説明する。本実施の態様においては、買い物籠台１４の計量皿１７に形成される位置決め部１９と、集積台２０の計量皿２３に形成される位置決め部２４との形が買い物籠１８の底部分の矩形状凹み３３に嵌り合う形状の高さ１ｃｍ程度の矩形状凸部であるようにしたものである。
【００２１】
この場合にも、買い物籠１８を計量皿１７、２３の上面に沿わせて滑らせることにより簡単に矩形状凸部が買い物籠１８の底部分の矩形状凹み３３に嵌り合い、その買い物籠１８を計量皿１７、２３の略中央に位置決めすることができ、正確な計量値を得ることができる。
【図面の簡単な説明】
【００２２】
【図１】本発明の第一の実施の態様を示す斜視図である。
【図２】筐体を側面方向から見た側面図である。
【図３】本発明の第二の実施の態様を示す斜視図である。
【図４】本発明の第三の実施の態様を示すもので、計量皿と買い物籠との関係を示す斜視図である。
【符号の説明】
【００２３】
１：会計本体，７：スキャナ，１４：買い物籠台，１６：計量器，１８：買い物籠，１９：位置決め部，２０：集積台，２２：計量器，２４：位置決め部
【図１】
2006235906.tif 000003
【図２】
2006235906.tif 000004
【図３】
2006235906.tif 000005
【図４】
2006235906.tif 000006